(57)【要約】【課題】背景にある食料供給問題を解決するための植物工場（植物だけでなく生花、魚介類、家畜などを含む）に最適な人工光源となる照明装置を提供する。【解決手段】本発明の照明装置１は、実装基板と、実装基板の表面に実装される、異なる波長帯域で発光する複数の種類の発光部と、実装基板の表面であって、複数の種類の発光部のそれぞれの境界に設けられる複数の隔壁と、複数の隔壁同士の間に形成される複数の実装領域と、複数の実装領域のそれぞれにおいて、発光部を封止する複数の封止材と、を備え、複数の種類の発光部のそれぞれは、複数の実装領域のそれぞれに実装され、複数の種類の発光部は、全体で少なくとも３６０ｎｍ〜９８０ｎｍの波長帯域を有し、複数の発光部のそれぞれは、実装領域に実装されると共にベアチップである複数の発光素子を含み、複数の封止材の少なくとも一つは、蛍光体を含有し、複数の発光部からの発光は、相互に混合されて単一面発光となる。【選択図】図５
2015018928.tif 000002
【特許請求の範囲】
【請求項１】
実装基板と、
前記実装基板の表面に実装される、異なる波長帯域で発光する複数の種類の発光部と、
前記実装基板の表面であって、前記複数の種類の発光部のそれぞれの境界に設けられる複数の隔壁と、
前記複数の隔壁同士の間に形成される複数の実装領域と、
前記複数の実装領域のそれぞれにおいて、前記発光部を封止する複数の封止材と、を備え、
前記複数の種類の発光部のそれぞれは、前記複数の実装領域のそれぞれに実装され、
前記複数の種類の発光部は、全体で少なくとも３６０ｎｍ〜９８０ｎｍの波長帯域を有し、
前記複数の発光部のそれぞれは、前記実装領域に実装されると共にベアチップである複数の発光素子を含み、
前記複数の封止材の少なくとも一つは、蛍光体を含有し、
前記複数の発光部からの発光は、相互に混合されて単一面発光となる、照明装置。
【請求項２】
前記実装基板および前記複数の隔壁の少なくとも一部は、熱伝導率が、１００（Ｗ／ｍ＊Ｋ）〜４３０（Ｗ／ｍ＊Ｋ）である素材で形成される、請求項１記載の照明装置。
【請求項３】
前記実装基板および前記複数の隔壁の少なくとも一部は、金属および合金の少なくとも一つで形成されている、請求項２記載の照明装置。
【請求項４】
前記実装基板は、略円形、略楕円形、方形および多角形のいずれかを有している、請求項１から３のいずれか記載の照明装置。
【請求項５】
前記複数の隔壁のそれぞれは、前記実装基板の表面において、所定方向に沿って、相互に略平行に設けられ、前記複数の実装領域は、前記実装基板の表面において、縞状に形成される、請求項１から４のいずれか記載の照明装置。
【請求項６】
前記複数の隔壁のそれぞれは、前記実装基板の表面において、格子状に設けられ、前記複数の実装領域は、前記実装基板の表面において格子状に形成される、請求項１から４のいずれか記載の照明装置。
【請求項７】
前記隔壁は、前記実装基板の表面側を長辺とする略台形もしくは略三角形の断面形状を有する、請求項１から６のいずれか記載の照明装置。
【請求項８】
前記隔壁の表面の少なくとも一部は、反射性を有する、請求項１から７のいずれか記載の照明装置。
【請求項９】
前記実装基板の表面に前記隔壁と同じ方向に突出する反射枠を備え、前記反射枠は、前記複数の発光部の外周に設けられると共に反射性の表面処理がなされている、請求項１から８のいずれか記載の照明装置。
【請求項１０】
前記反射枠は、前記実装基板の表面側を長辺とする略台形もしくは略三角形の断面形状を有する、請求項９記載の照明装置。
【請求項１１】
前記複数の発光部のそれぞれは、少なくとも３６０ｎｍ〜９８０ｎｍの波長帯域を順番に分割した分割帯域を有し、前記複数の発光部のそれぞれが含む前記複数の発光素子のそれぞれは、前記分割帯域を、発光特性として有する、請求項１０記載の照明装置。
【請求項１２】
前記分割帯域のそれぞれは、少なくとも３６０ｎｍ〜９８０ｎｍを、８分割以上１２分割以下のいずれかの単位で分割した波長を有する、請求項１１記載の照明装置。
【請求項１３】
前記封止材は、シリコン樹脂で形成される、請求項１から１２のいずれか記載の照明装置。
【請求項１４】
前記複数の封止材の少なくとも一つは、粉末状の蛍光体を含有し、前記蛍光体は、前記発光素子の有する固有波長を変化可能である、請求項１３記載の照明装置。
【請求項１５】
前記複数の発光部において、前記発光素子の有する固有波長を変化させる必要がある場合には、前記封止材は、前記発光素子の有する固有波長を変化させる蛍光体を含有し、
前記複数の発光部において、前記発光素子の有する固有波長を変化させる必要がない場合には、前記封止材は、前記蛍光体を含有しないかもしくは前記発光素子の有する固有波長を変化させない蛍光体を含有する、請求項１３又は１４記載の照明装置。
【請求項１６】
前記複数の発光部のそれぞれの発光レベルを、個別に制御可能な発光レベル制御部を更に備える、請求項１から１５のいずれか記載の照明装置。
【請求項１７】
前記発光レベル制御部は、前記発光部が照射する照射対象物の種類、特性、照射時間帯によって、前記複数の発光部のそれぞれの発光レベルを制御する、請求項１６記載の照明装置。
【請求項１８】
前記実装領域に沿って冷媒を循環させる冷媒循環路を更に備える、請求項１から１７のいずれか記載の照明装置。
【請求項１９】
前記冷媒循環路は前記実装基板の外部に延伸し、循環した冷媒を冷却する冷却部を更に備える、請求項１８記載の照明装置。
【請求項２０】
野菜、穀物を育成する植物工場での人工太陽として用いられる、請求項１から１９のいずれか記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの発光素子を用いて、太陽光の有する波長域に近い波長域での混色を実現する照明装置に関する。
【背景技術】
【０００２】
近年、二酸化炭素やメタンガスなどを原因とする地球温暖化の危険性が懸念されている。地球温暖化を原因の一つとして気候変動が生じている。気候変動の例として、地球温暖化による多くの地域での気温上昇、天候不順、天候の急変、降水地域の偏りなどが生じている。これらによって、世界的な水不足、耕作適地の不足など、食料耕作（特に穀物や野菜）の供給能力が上昇できないあるいは低下している問題が生じている。
【０００３】
一方で、発展途上国を中心に世界的な人口増加が生じており、耕作能力が、この人口増加に追いついていない。特に、世界各国において、農業従事者が減少して耕作地が放棄されている問題も生じている。この流れの中で、都市人口が増加しており、人々の食料需要は従来型から現代型となり、食料需要が多くなっている。この結果、人口増加や人口流動の変化に、自然耕作地による食糧供給が追いついていない。
【０００４】
加えて、都市人口が増加して人々の生活が現代化することで、食生活も大きく変わっている。一つには肉食嗜好が進み、肉食嗜好を満たすための家畜の供給増加が求められている。ここで、家畜飼育においては、非常に多くの穀物を必要とするが、上述の通り自然耕作地の減少や農業従事者の減少によって、家畜の供給増加が、食生活の変化に追いついていない現状もある。
【０００５】
また、都市化および都市人口の増加に伴って、自然耕作地が都市部よりどんどん遠ざかっている現状がある。例えば、野菜や果物などの新鮮さを必要とする食料は、都市部から相当に離れた地域で育成されて、長距離を輸送されている。このような都市部から離れた場所で育成された野菜等が長距離を輸送されることは、輸送コストだけでなく、環境負荷も大きくする問題がある。環境負荷が大きくなれば、ますます地球温暖化が高まって、世界的な気候変動や天候急変が生じ、耕作適地が減少することになってしまう。
【０００６】
また、降水地域の偏りによって、耕作適地が偏在する状況になっているために、場合によっては食料が相当の長距離を輸送されなければならない現状もある。このような状況に加えて、原油や天然ガスなどの化石燃料の価格高騰によって輸送費用が高まり、低所得者層が新鮮かつ安全な食料を入手しにくい状況も生じている。
【０００７】
気候変動に合わせるように進んでいる都市部の拡大や都市部人口の集中によって、自然耕作地での食料育成と短距離輸送での食料供給が十分でない状況が生じている。
【０００８】
このような食糧供給不足を補うための対策として、野菜や穀物を工場生産のように育成して供給する植物工場の研究や実用化が進められている。植物工場は、露地栽培などの自然耕作地での育成によって植物（野菜や穀物など）を育成するのではなく、人工的に作られたハウスや建物内で、温度、照度、湿度などをコンピュータ管理して植物を育成する。このように、自然耕作地を用いずに、人工的に作られたハウスや建物内で植物を育成することで、都市部や都市部に近い地域で、食料となる植物を育成することができる。
【０００９】
こうすることで、自然耕作地の減少や輸送距離の長大化の問題を解決できる。加えて、植物工場は、水や養分なども人工的に管理して供給できるので、降水地域や降水量の変動を主とした気候変動の影響を受けにくいメリットもある。
【００１０】
植物工場は、大きく次の２つのバリエーションを有している。
【００１１】
（バリエーション１）植物工場は、自然光（自然の太陽光）を用いるバリエーション１で構成される。例えば、ビニールハウスやガラスハウスなど、自然の太陽光を導入可能なハウスで構成され、その内部の温度、湿度、水分、養分などを自動制御する植物工場である。バリエーション１のような自然光を用いるハウス型の植物工場は、太陽光を導入する必要があるので、その外壁はビニール、樹脂、ガラスなどの透明もしくは半透明で透過光を透過させる素材で形成される必要がある。また、自然光である太陽光は、日照時間や日照期間の変動を有している。
【００１２】
このため、バリエーション１のように自然光を用いる植物工場は、自然光を取り込みやすくするために、広大な敷地とこれに相当するハウスの構築を必要とする。自然光を取り込むので、当然にバリエーション１の植物工場は平屋となるからである。
【００１３】
また、自然光である太陽光を利用するため、周囲を透過性のある部材で覆ったとしても、天候によっては太陽光の導入が不足する問題もある。このため、天候変動や天候不順に十分に対応しているとは言いがたい。
【００１４】
（バリエーション２）植物工場は、人工光を用いるバリエーション２の構造で構成されることもある。バリエーション２の植物工場は、いわゆるコンクリートなどで建造された閉鎖空間となる建造物内部において、人工光を太陽光の代わりに用いて、温度、湿度、水分、養分、照度などを制御して、植物を育成する。まさしく一般的な工場に近い形態を有している。
【００１５】
人工光を用いるバリエーション２の形態の植物工場は、人工光を用いるので、太陽光を導入する必要がない。このため、周囲をビニール、樹脂、ガラスなどの透過性のある素材で覆う必要がないので、バリエーション２の植物工場は多層階にすることができる（すなわち平屋ではない）。このため、一つの植物工場に必要となる延べ面積が少なくて済むメリットがある。更には、建物そのものをコンクリートなどの耐久性と強度を有する素材で建築できるので、植物工場そのものの強度や耐久性を向上させることができる。
【００１６】
また、コンクリート等の素材で建築できるので、植物工場として新設しなくとも、既存の施設を流用できるメリットもある。このため、都市部の近郊だけでなく、都市部の内部に植物工場を建設（既存施設流用も含み）することができる。都市部に建設できれば、輸送コストが低減できるだけでなく、育成された植物を加工に用いる加工工場などとの連携も容易となり、植物工場を核とした食糧生産体制が、都市部において整備できる。
【００１７】
特に、近年ＴＰＰ（環太平洋パートナーシップ協定）などによって、関税や国境の障壁が取り払われようとしている状況では、従来のように小規模農家による農業生産の維持が難しくなる可能性もある。農業の近代化や、各国における（我が国を含めて）農業の自立性と自律性とが求められる時代となる。
【００１８】
このような環境においては、気候変動や気候急変の影響を受けにくく、都市部において食料自給および食料加工の整備の核となるバリエーション２の態様の植物工場の実用化と普及が必要とされている。
【００１９】
このようなバリエーション２の態様を有する植物工場についての技術が提案されている（例えば、特許文献１、特許文献２参照）。
【００２０】
また、これら植物工場では、人工光を必要とする。近年では発光ダイオード（以下、「ＬＥＤ」という）などの制御が容易であって低消費電力である発光素子が、この人工光源として用いられることが多くなっている。このような発光素子を用いた人工光源についての技術提案もなされている（例えば、特許文献３、特許文献４、特許文献５参照）。
【先行技術文献】
【特許文献】
【００２１】
【特許文献１】特開２００８−１３１９０９公報
【特許文献２】国際公開ＷＯ２００７／０９６９３８号公報
【特許文献３】特開２００５−９５１２３号公報
【発明の概要】
【発明が解決しようとする課題】
【００２２】
特許文献１は、栽培架台１０には４段に栽培ベッド１２が配置されている完全制御型植物工場を開示する。特許文献１の完全制御型植物工場では、各栽培ベッド１２の上方には、人工光源であるＬＥＤ１４が配置されている。最下段の栽培ベッド１２の下方には、タンク２１が配置されている。タンク２１内の養液は、栽培ベッド１１２に養液を供給する循環経路の一部となっている。タンク２１内では、淡水魚の養殖が行われる。
【００２３】
しかしながら、特許文献１に開示される植物工場は、養液や循環経路などを配備することで植物育成や淡水魚の養殖を同時実現しているが、これに必要な人工光源についての詳細を開示していない。
【００２４】
従来技術で説明した現況での植物工場では、様々な野菜や穀物を、狭い空間を多層階方式なども利用しながら活用する必要がある。ここで、野菜や穀物の適切な育成においては、太陽光に近い波長域を有する人工光源が必要である。加えて、野菜や穀物の種類によっては、太陽光の有する波長域を複数の帯域に分割したそれぞれの帯域でのレベル特性が、異なることがその育成において適切であることが、近年の研究で分かってきている。
【００２５】
しかしながら、特許文献１の技術は、人工光源を用いることだけを開示しており、太陽光に近い波長を実現する手段や、複数の帯域でのレベル特性を制御する技術を開示していない。このため、特許文献１に開示される植物工場では、様々な種類の野菜や穀物などを、それぞれに適して育成することが困難である問題を有している。
【００２６】
特許文献２は、ビル躯体１地下部１ａに設置した生育室２と、該生育室２内の雰囲気を調整する雰囲気管理装置３と、生育室２内の植物に培養液を送給する培養液供給装置４と、生育室２内に設置した人工光源５とを備え、断熱効果を得つつ土地の有効利用を図り且つ植物を効率よく収穫し、ビル設備の排熱を雰囲気管理装置３の熱エネルギー源に用いて、ビル排熱の有効利用を図る植物工場を開示する。
【００２７】
しかしながら、特許文献２に開示される植物工場も、特許文献１と同様に内部空気や温度等の制御を主眼としており、人工太陽についての詳細な開示はない。上述の通り、現況での植物工場は、狭い面積でも多層階のビルのような構造物において、多種多様な野菜や穀物を、市場の需要に対応して短期間でかつ効率的に育成することを求められている。このため、人工光源は、太陽光に近い波長域を有していると共に、波長域のそれぞれが分割された複数の帯域のそれぞれのレベル特性の制御が行われる必要がある。
【００２８】
特許文献２は、特許文献１と同様に、このような人工光源を開示しておらず、特許文献１と同様に効率よく多種多様な植物を育成することは困難である。
【００２９】
特許文献３は、異なる発光スペクトル特性を有した複数種類のＬＥＤ２４を備えてなり、それら各種ＬＥＤ２４の組み合わせ構成比率又は／及びそれらの発光強度を適宣設定し、各ＬＥＤ２４から射出される光の合成スペクトルが、基準となる太陽光スペクトルと近似したものとなるように構成した擬似太陽光照射装置を開示する。
【００３０】
特許文献３は、ＬＥＤを用いて発光を混合することで、擬似的な太陽光を実現する。この擬似的な太陽光を様々な分野に応用することが企図されている。
【００３１】
ここで、擬似的な太陽光は、太陽光が有する波長帯域のそれぞれに対応するＬＥＤからの光が混合されて単一面としての発光を有する必要がある。この単一面の発光が植物に満遍なく照射されることで、擬似的な太陽光が植物の育成を実現する。
【００３２】
しかしながら、特許文献３に開示される照射装置は、異なる波長帯域のＬＥＤを配置して照射するが、ＬＥＤによる光は直進性が強いため、隣接するＬＥＤからの光同士の混合（コンポジット）が難しく、異なる波長帯域のＬＥＤからの光が分離した状態で、植物に照射されてしまう問題がある。これを防止するためには、異なる波長帯域のＬＥＤ同士の隣接距離を小さくする必要がある。しかし、ＬＥＤは、その発光面および実装面の両方において発熱をもつ特性がある。このため、波長帯域の異なるＬＥＤ同士の隣接距離を小さくすると、それぞれのＬＥＤの発熱が隣接するＬＥＤに悪影響を与える問題がある。
【００３３】
この隣接するＬＥＤからの発熱の影響を低減しようとすると、異なる波長帯域のＬＥＤのそれぞれの発光量を低下させる必要が生じる。この発光量の低下は、それぞれのＬＥＤからの光の拡散性を低下させてしまい、結局それぞれのＬＥＤからの発光同士が混合しにくくなることに戻ってしまう。あるいは、混合できたとしても、全体としての単一面による発光量が小さくなり、植物の育成に十分な発光を照射できない問題がある。
【００３４】
逆に発光量を上げて混合した単一面の発光を実現しようとするとそれぞれのＬＥＤの発熱により、照明装置の故障や劣化などの問題が生じる。
【００３５】
特許文献４は、少なくとも２つ以上の互いに波長帯域の異なる光を出射する発光ダイオード（ＬＥＤ）を有する発光部と、発光部から出射された光を受光する少なくとも３波長成分の光のエネルギーをそれぞれ測定する一つ以上の受光センサと、受光センサからの信号に基づいて発光ダイオード（ＬＥＤ）の駆動電流値を、受光センサの測定値が予め設定されたホワイトバランスの設定値になるように調整する調整手段を備え、演色性が８５％より大きいことを特徴とする白色光ＬＥＤ照明装置を開示する。
【００３６】
特許文献４も、特許文献３と同様に、異なる波長帯域を有するＬＥＤを配置して、これらからの発光を混合してホワイトバランスを有する白色光を照射することを目的としている。ホワイトバランスと波長帯域の分布によっては、擬似的な太陽光と同じ波長帯域の照射を実現する。
【００３７】
しかしながら、特許文献３と同様にＬＥＤを用いることで、隣接して配置される異なる波長帯域の発光が混合（コンポジット）しにくい問題を有している。このため、特許文献４の照明装置も、異なる波長帯域を複数含んだ単一面の照射を実現できにくい問題を有している。これは、特許文献３の問題で述べたように、発熱の問題にも依存する。
【００３８】
特許文献５は、光源として少なくとも１つのＬＥＤを備えた白色に発光する
照明ユニットであって、ＬＥＤが、３００〜４７０ｎｍの領域で一次放射線
を発し、この場合、この一次放射線が、ＬＥＤの一次放射線にさらされている蛍
光体によって部分的にまたは完全に長波長の放射線に変換される形式において、の変換が、少なくとも、緑色に発光しかつＥｕ活性化されたカルシウム−マグネシウム−クロロシリケートの類に由来する１種の蛍光体と、黄色に発光しかつＣｅ活性化された希土類−ガーネットの類に由来する少なくとも１種の蛍光体とを用いることによって行われることを特徴とする、ＬＥＤベースの白色に発光する照明ユニットを開示する。
【００３９】
特許文献５は、一つのＬＥＤにより、広い波長帯域の発光を実現する。
しかしながら、特許文献５の照明ユニットは、その波長帯域は擬似的な太陽光として用いるには不十分である。植物工場においては、太陽光に擬似的に近似する波長帯域による照射が必要とされる。この波長帯域は、３８０ｎｍ〜９８０ｎｍ程度である。これに対して、特許文献５の照明ユニットは、ＬＥＤの物性そのものの工夫によるものであり、波長帯域は不十分である。また、当然にこのように物性や素材の工夫によるＬＥＤは、高コストにもなり、低コスト（特にランニングコスト）が求められる植物工場においては、不十分である問題がある。
【００４０】
以上のように、従来技術は次のような問題を有していた。
【００４１】
（問題１）植物工場においてもっとも重要な擬似的な太陽光の代わりとなる人工光源の明確な開示や提案が無い。
（問題２）様々な種類の植物の育成に適した、人工光源の波長帯域と光量レベルのフレキシブルな制御を行うことが困難である。
（問題３）擬似太陽を企図したＬＥＤ配列型の照明装置は、異なる波長帯域のＬＥＤからの発光が相互に混合しにくく、単一面の発光となりにくい。
（問題４）問題３の解決を図ろうとして、異なる波長帯域のＬＥＤの隣接距離を狭めようとしても、ＬＥＤの発熱によって狭めることが困難である。これを無理に狭めると、発熱によってＬＥＤや基板の故障や不具合が生じる。
【００４２】
本発明は、これら問題１〜４に鑑み、背景にある食料供給問題を解決するための植物工場（植物だけでなく生花、魚介類、家畜などを含む）に最適な人工光源となる照明装置を提供することを目的とする。
【課題を解決するための手段】
【００４３】
上記課題を解決するために、本発明の照明装置は、実装基板と、実装基板の表面に実装される、異なる波長帯域で発光する複数の種類の発光部と、実装基板の表面であって、複数の種類の発光部のそれぞれの境界に設けられる複数の隔壁と、複数の隔壁同士の間に形成される複数の実装領域と、複数の実装領域のそれぞれにおいて、発光部を封止する複数の封止材と、を備え、複数の種類の発光部のそれぞれは、複数の実装領域のそれぞれに実装され、複数の種類の発光部は、全体で少なくとも３６０ｎｍ〜９８０ｎｍの波長帯域を有し、複数の発光部のそれぞれは、実装領域に実装されると共にベアチップである複数の発光素子を含み、複数の封止材の少なくとも一つは、蛍光体を含有し、複数の発光部からの発光は、相互に混合されて単一面発光となる。
【発明の効果】
【００４４】
本発明の照明装置は、異なる波長帯域を有する発光素子を、相互の発熱の影響を排除して、近接した状態で配列することができる。この結果、異なる波長帯域を有する発光素子からの発光が混合されて、単一面の発光を実現できる。この単一面の発光は、太陽光の有する波長帯に近似する波長帯を有しており、植物工場に用いられる場合には、植物に擬似的な太陽光を照射することができる。
【００４５】
また、本発明の照明装置は、異なる波長帯域の発光素子のそれぞれの発光レベルを任意に制御できるので、波長帯域毎に異なる発光レベルの単一面の光を照射できる。植物の種類に応じて、最適な波長帯域と発光レベルとの関係を持った単一面の光を照射できることで、植物育成を促進できる。
【００４６】
これ等の結果、食料生産における近年の種々の問題を解決できる。
【００４７】
また、蛍光体を含む封止材がベアチップである発光素子に接触して設けられることで、全体を薄型にできると共に、蛍光体による波長変化を容易に生じさせることができる。加えて、発光素子の発光面の熱が封止材を通じて放出されやすくなり、照明装置における発光部同士の隣接間距離を狭くすることができる。結果として、単一光としての発光を実現できる。
【図面の簡単な説明】
【００４８】
【図１】参考技術における人工太陽を想定した照明装置の基板正面図である。
【図２】図１の参考技術における照明装置が照射する光を示した写真である。
【図３】太陽光の有する可視波長帯域を示すスペクトルである。
【図４】分割帯域毎の発光レベルの時間的変化を示すイメージ図である。
【図５】本発明の実施の形態１における照明装置の正面図である。
【図６】本発明の実施の形態１における照明装置の側面図である。
【図７】本発明の実施の形態１における照明装置による照射光を示すイメージ図である。
【図８】本発明の実施の形態１における照明装置の正面図である。
【図９】本発明の実施の形態１における照明装置のブロック図である。
【図１０】本発明の実施の形態２における照明装置のブロック図である。
【図１１】本発明の実施の形態２における発光パターンのそれぞれを示す模式図である。
【図１２】本発明の実施の形態３における製作例を示す表である。
【発明を実施するための形態】
【００４９】
本発明の第１の発明に係る照明装置は、実装基板と、実装基板の表面に実装される、異なる波長帯域で発光する複数の種類の発光部と、実装基板の表面であって、複数の種類の発光部のそれぞれの境界に設けられる複数の隔壁と、複数の隔壁同士の間に形成される複数の実装領域と、複数の実装領域のそれぞれにおいて、発光部を封止する複数の封止材と、を備え、複数の種類の発光部のそれぞれは、複数の実装領域のそれぞれに実装され、複数の種類の発光部は、全体で少なくとも３６０ｎｍ〜９８０ｎｍの波長帯域を有し、複数の発光部のそれぞれは、実装領域に実装されると共にベアチップである複数の発光素子を含み、複数の封止材の少なくとも一つは、蛍光体を含有し、複数の発光部からの発光は、相互に混合されて単一面発光となる。
【００５０】
この構成により、照明装置は、太陽光の可視波長域に近似する帯域をカバーしつつ、それぞれを分割した分割帯域を混合した単一の照射光を照射できる。加えて、蛍光体を含有する封止材が発光素子に接触することで、発光素子の固有波長を変化させることができる。さらには、発光素子の発光面での発熱が封止体を通じて放出されやすくなる。
【００５１】
本発明の第２の発明に係る照明装置では、第１の発明に加えて、実装基板および複数の隔壁の少なくとも一部は、熱伝導率が、１００（Ｗ／ｍ＊Ｋ）〜４３０（Ｗ／ｍ＊Ｋ）である素材で形成される。
【００５２】
この構成により、複数の発光部のそれぞれの隣接距離を狭めることができる。この結果、複数の発光部の有するそれぞれの分割帯域の波長に基づく光を、混合して積算した状態とした照射光を、照明装置は、照射できる。
【００５３】
本発明の第３の発明に係る照明装置では、第２の発明に加えて、実装基板および複数の隔壁の少なくとも一部は、金属および合金の少なくとも一つで形成されている。
【００５４】
この構成により、実装基板は、発光部による熱を排出しやすくなる。この結果、複数の発光部のそれぞれの隣接距離を狭めることができる。
【００５５】
本発明の第４の発明に係る照明装置では、第１から第３のいずれかの発明に加えて、実装基板は、略円形、略楕円形、方形および多角形のいずれかを有している。
【００５６】
この構成により、様々な形状を有する照明装置が実現できる。
【００５７】
本発明の第５の発明に係る照明装置では、第１から第４のいずれかの発明に加えて、複数の隔壁のそれぞれは、実装基板の表面において、所定方向に沿って、相互に略平行に設けられ、複数の実装領域は、実装基板の表面において、縞状に形成される。
【００５８】
この構成により、照明装置は、異なる分割帯域に対応した複数の発光部が、容易に形成される。加えて、複数の発光部の光を重複させて積算させやすい。
【００５９】
本発明の第６の発明に係る照明装置では、第１から第４のいずれかの発明に加えて、複数の隔壁のそれぞれは、実装基板の表面において、格子状に設けられ、複数の実装領域は、実装基板の表面において格子状に形成される。
【００６０】
この構成により、照明装置は、より細かく分割帯域を分けてコンポジットした照射光を照射できる。
【００６１】
本発明の第７の発明に係る照明装置では、第１から第６のいずれかの発明に加えて、隔壁は、実装基板の表面側を長辺とする略台形もしくは略三角形の断面形状を有する。
【００６２】
この構成により、ある発光部からの光が、隣接する発光部の光と重複しやすくなる。
【００６３】
本発明の第８の発明に係る照明装置では、第１から第７のいずれかの発明に加えて、隔壁の表面の少なくとも一部は、反射性を有する。
【００６４】
この構成により、発光部からの光が相互に反射して、隣接する発光部からの光との重複がより実現される。
【００６５】
本発明の第９の発明に係る照明装置では、第１から第８のいずれかの発明に加えて、実装基板の表面に隔壁と同じ方向に突出する反射枠を備え、反射枠は、複数の発光部の外周に設けられると共に反射性の表面処理がなされている。
【００６６】
この構成により、照明装置全体で、複数の発光部からの光を集約して、指向性を持たせた照射光を照射できる。加えて、反射枠の反射性により、複数の発光部からの光を集光させたり拡散させたりすることができる。
【００６７】
本発明の第１０の発明に係る照明装置では、第９の発明に加えて、反射枠は、実装基板の表面側を長辺とする略台形もしくは略三角形の断面形状を有する。
【００６８】
この構成により、反射枠は、複数の発光部からの光を集光させたり拡散させたりすることができる。
【００６９】
本発明の第１１の発明に係る照明装置では、第１０の発明に加えて、複数の発光部のそれぞれは、少なくとも３６０ｎｍ〜９８０ｎｍの波長帯域を順番に分割した分割帯域を有し、複数の発光部のそれぞれが含む複数の発光素子のそれぞれは、分割帯域を、発光特性として有する。
【００７０】
この構成により、照明装置が照射する照射光は、複数に分割された分割帯域を含んで混合された光である。
【００７１】
本発明の第１２の発明に係る照明装置では、第１から第１１のいずれかの発明に加えて、分割帯域のそれぞれは、少なくとも３６０ｎｍ〜９８０ｎｍを、８分割以上１２分割以下のいずれかの単位で分割した波長を有する。
【００７２】
この構成により、照明装置は、最適な分割帯域を有することができる。
【００７３】
本発明の第１３の発明に係る照明装置では、第１から第１２のいずれかの発明に加えて、封止材は、シリコン樹脂で形成される。
【００７４】
この構成により、封止材は、ベアチップである発光素子を保護することができる。
【００７５】
本発明の第１４の発明に係る照明装置では、第１３の発明に加えて、複数の封止材の少なくとも一つは、粉末状の蛍光体を含有し、蛍光体は、発光素子の有する固有波長を変化させることが可能である。
【００７６】
この構成により、封止材が蛍光体を含むことで、封止材は、ベアチップである発光素子を保護すると共に、含有する蛍光体によって発光素子の固有波長を変化させた上で、発光部のそれぞれからの光を照射できる。
【００７７】
本発明の第１５の発明に係る照明装置では、第１３又は１４の発明に加えて、複数の発光部において、発光素子の有する固有波長を変化させる必要がある場合には、封止材は、発光素子の有する固有波長を変化させる蛍光体を含有し、複数の発光部において、発光素子の有する固有波長を変化させる必要がない場合には、封止材は、蛍光体を含有しないかもしくは発光素子の有する固有波長を変化させない蛍光体を含有する。
【００７８】
この構成により、複数の発光部によって、実装される発光素子の固有波長をそのまま使って光を照射する場合と、実装される発光素子の固有波長を変化させて光を照射する場合とに、封止材は対応できる。このとき、蛍光体が封止材に含まれていることで、様々なバリエーションに対応が可能である。
【００７９】
本発明の第１６の発明に係る照明装置では、第１から第１５のいずれかの発明に加えて、複数の発光部のそれぞれの発光レベルを、個別に制御可能な発光レベル制御部を更に備える。
【００８０】
この構成により、植物の特性に合わせた帯域毎での発光レベルの差異を有する照射光を照射できる。結果として、照明装置は、植物工場などで最適に利用できる。
【００８１】
本発明の第１７の発明に係る照明装置では、第１６の発明に加えて、発光レベル制御部は、発光部が照射する照射対象物の種類、特性、照射時間帯によって、複数の発光部のそれぞれの発光レベルを制御する。
【００８２】
この構成により、植物等の育成を好適に行える。
【００８３】
本発明の第１８の発明に係る照明装置では、第１から第１７のいずれかの発明に加えて、実装基板の裏面は、実装領域に沿って冷媒を循環させる冷媒循環路を更に備える。
【００８４】
この構成により、複数の発光部の隣接距離をより狭めることができる。
【００８５】
本発明の第１９の発明に係る照明装置では、第１８の発明に加えて、冷媒循環路は実装基板の外部に延伸し、循環した冷媒を冷却する冷却部を更に備える。
【００８６】
この構成により、発光部の距離が狭まり、さらには複数の発光部のそれぞれからの光が重複して積算された単一の光となる。
【００８７】
以下、図面を用いて、本発明の実施の形態について説明する。
【００８８】
（実施の形態１）
【００８９】
（参考技術における照明装置の問題点１）
まず、参考技術における照明装置の問題点を説明する。植物工場においては、擬似的な人工太陽としての照明装置が用いられる。このような照明装置は、人工太陽としての機能を発揮するために、強い光源を用いて高い輝度を照射することを必要とする。この光源として、例えばＬＥＤのような発光素子が用いられたり、電球が用いられたりする。
【００９０】
図１は、参考技術における人工太陽を想定した照明装置の基板正面図である。照明装置１００は、実装基板１０１を備えており、実装基板１０１は、複数の発光素子１０２を実装している。この実装されている複数の発光素子１０２のそれぞれが光を照射することで、照明装置１００全体で高い輝度をもった照射を行うことができる。
【００９１】
個々の発光素子１０２の照射光だけでは照明装置１００全体の輝度として不足するので、実装基板１０１における複数の列のそれぞれに、複数の発光素子１０２が実装される。それぞれの列に実装された複数の発光素子１０２が発光すると、列毎に並んだ発光素子１０２からの発光が、照明装置１００から照射される。
【００９２】
ここで、照明装置１００が全体として十分な輝度をもった光を照射するためには、個々の発光素子１０２の発光輝度を高める必要がある。発光素子１０２の発光輝度を高めるためには、発光素子１０２に付与される電力を高くする必要がある。電力を高くすれば、発光素子１０２のそれぞれの発光輝度は大きくなる。
【００９３】
しかしながら、発光素子１０２に付与される電力が大きくなれば、発光素子１０２の発熱量が大きくなる。発光素子１０２は、実装基板１０１に実装される実装面においても、光を照射する発光面においても熱を生じさせる。この熱による発熱量が大きくなってしまう。発熱量が大きくなれば、隣接して実装される発光素子１０２同士で悪影響を及ぼしあってしまう。悪影響によっては、実装基板１０１が損傷したり、発光素子１０２が故障したりすることもある。
【００９４】
このように、植物工場などで擬似的な人工太陽として照明装置１００を用いる場合には、十分な輝度を確保するために発光素子１０２への電力が大きくなって発熱量が大きくなる。この発熱量による悪影響を防止するために、実装基板１０１において、図１のように、隣接する発光素子１０２同士の間隔を大きくあけて実装せざるを得ない。
【００９５】
このように隣接する発光素子１０２同士の間隔を大きくあけて実装する場合には、隣接する発光素子１０２の光同士が重複しなくなり、発光素子１０２のそれぞれから照射される光の積算効果が弱くなる。この点でまず照明装置１００全体での輝度が十分とならない。
【００９６】
加えて、重複しないことで、列毎に実装された発光素子１０２からの照射される光が、それぞれ分離した状態で、照射対象に向かってしまう。植物工場で用いられる擬似的な人工太陽としての照明装置は、太陽光の波長域をカバーした光を照射することが求められる。このため、列毎に実装された発光素子１０２が、この太陽光の波長域をカバーした波長のそれぞれを有していても、光同士が重複しないので、太陽光の波長域をカバーしたコンポジットされた光を、照明装置１００が照射できない状態である。
【００９７】
図２は、図１の参考技術における照明装置が照射する光を示した写真である。図２に示されるように、複数の列のそれぞれに実装された発光素子１０２からの光が、重複していない。重複しないことで、上述のように、（１）光の積分効果が悪く、照明装置１全体での輝度が十分でない、（２）光が分散してしまい、太陽光の波長域をカバーした一つのまとまった光の照射ができない、との問題を生じている。すなわち、それぞれの発光素子からの光が重複した単一光となっていない。
【００９８】
このような問題を有している照明装置１００では、植物工場において、植物の育成に必要不可欠な擬似的な人工太陽の役割を果すことができない。
【００９９】
（参考技術における問題点２）
また、図１に示されるような参考技術における照明装置での問題点として、植物の育成に最適化されていない問題がある。植物工場においては、照明装置が擬似的な人工太陽の役割を果すことが求められる。人工太陽であるので、上述した通り、照明装置には、太陽光の波長域に渡るコンポジットされた照明光が求められる。更に、近年の研究において、育成対象の植物の種類や育成段階に応じて、太陽光の波長域全体において、これを分割した分割帯域毎における発光レベルが、様々に異なることが、成長促進に効果的であることが分かってきた。また、この分割帯域毎の発光レベルの違いは、一日の時間帯においても、様々に変化させることが好ましいこともわかってきた。
【０１００】
参考技術や従来技術における照明装置は、問題点１で記載した問題のみならず、このような成長促進に対応できない問題も有している。
【０１０１】
図３は、太陽光の有する可視波長帯域を示すスペクトルである。太陽光の可視波長域は、３６０ｎｍ〜９８０ｎｍの範囲である。もちろん、太陽光の可視波長域については、紫外や赤外部分をどこまで含むと考えるかによって異なるが、一般的な一例として、この３６０ｎｍ〜９８０ｎｍの範囲と考えられている。
【０１０２】
この可視波長域を、いくつかの帯域に分割すると、複数の分割帯域が得られる。この複数の分割帯域のそれぞれは、波長によって特性のある色味を有している。光の色味は、波長によって定まるからである。この分割帯域のそれぞれが有する色味の光における他の光との発光レベルの違いや、時間帯によって変化する発光レベルによって植物の成長が異なる。
【０１０３】
このため、図３に示される太陽光の可視波長域をいくつかの分割帯域に分割した上で、それぞれの分割帯域の発光レベルを同時並行的（個別）に制御できることが好適である。このとき、ある分割帯域での発光レベルを、他の分割帯域の発光レベルと変えることもありえる。あるいは時間によって、分割帯域毎の発光レベルを変えることもありえる。
【０１０４】
図４は、分割帯域毎の発光レベルの時間的変化を示すイメージ図である。
【０１０５】
図４は、例えば、擬似的な人工太陽によって植物を育成する場合には、自然界での時間経過に対応した分割帯域毎での発光レベルの変化が適切である。図４に示されるように、朝焼け、午前、正午、午後、夕焼けなどの時間帯によって、分割帯域のそれぞれの発光レベルには、違いがある。自然界で育成される植物は、この発光レベルの変化に対応して成長する。このため、人工太陽として用いられる照明装置も、このような時間に応じた発光レベルの変化を生じさせることが求められる。
【０１０６】
（全体概要）
【０１０７】
実施の形態１における照明装置の全体概要を説明する。図５は、本発明の実施の形態１における照明装置の正面図である。照明装置１を上から見た状態を、図５は、示している。照明装置１は、実装基板２、発光部５、隔壁３、実装領域４、発光素子５１を備えている。更に、照明装置１は、各実装領域４の少なくともひとつにおいて、発光素子５１に接触する封止材７を備えている。
【０１０８】
ここで、発光素子５１は、ＬＥＤなどの電子素子が用いられればよい。加えて、発光素子５１は、ベアチップの状態で、実装領域４において実装される。ベアチップの状態で実装されることで、実装体積を削減できる上、発光特性をそのままで発光することができるからである。
【０１０９】
封止材７は、このベアチップの状態で実装されている発光素子５１を封止する。図６は、この発光素子５１に接触してその上部に封止材７が設けられている状態を示している。すなわち、封止材７は、ベアチップ状態で実装されている発光素子５１を封止している。図６は、本発明の実施の形態１における照明装置の側面図である。図６は、図５を側面から見た状態である。
【０１１０】
また、この複数の封止材７の少なくとも一つは、蛍光体７１を含有している。封止材７は、複数の実装領域４の少なくとも一つに設けられる。封止材７は、種々の素材が用いられればよいが、一例として、シリコン樹脂などの樹脂が用いられる。この樹脂が実装領域４において、発光素子５１の上から流し込まれることで、封止材７が、発光素子５１を封止するように形成される。
【０１１１】
加えて、複数の実装領域４のそれぞれは、隔壁３によって仕切られている（なお、場合によっては隔壁３によって仕切られていない隣接する実装領域４があってもよい）。この隔壁３は、後述するように発光素子５１の発光面での熱を、隣接する実装領域４（すなわち発光部５）に伝えにくくする。加えて、この封止材が流し込まれる際のせき止めの役割も果たし、樹脂等で流し込まれて固化されて形成される封止材７は、この隔壁３の間ごとに形成される。この結果、複数の実装領域４毎に封止材７が形成される。
【０１１２】
このようにして、封止材７は、実装領域４毎に形成される発光部５が含む発光素子５１を封止できる。
【０１１３】
実施の形態１における照明装置１は、実装基板２の表面に設けられる複数の隔壁３で仕切られる複数の実装領域４のそれぞれに、発光部５がもうけられる。この複数の発光部５のそれぞれは、単数または複数の発光素子５１を実装している。封止材７は、複数の実装領域４の少なくとも一つに設けられる。この封止材７は、複数の実装領域４のそれぞれにおいて、発光素子５１を封止する。
【０１１４】
また、この複数の実装領域４（発光部５）の少なくともひとつに設けられる複数の封止材４の少なくとも一つは、蛍光体７１を含有している。例えば、シリコン樹脂などの樹脂で封止材７が形成される場合に、樹脂がジェル状の状態で、粉末の蛍光体が含有される。均一になるように攪拌されると、蛍光体７１を均一に含有した封止材７が、実装領域４のそれぞれで形成される。
【０１１５】
この蛍光体７１は、発光素子５１の固有の波長を変化させる。このため、発光素子５１の固有の波長を変化させる必要のない発光部５においては、封止材７は、蛍光体７１を含有しない。あるいは波長を変化させない蛍光体７１を含有する。あるいは、場合によっては、この発光部５においては、封止材７が設けられないこともありえる。これは、発光素子５１の保護の観点から選択されればよい。
【０１１６】
このため、複数の実装領域４に合わせて形成される複数の封止材７のそれぞれは、蛍光体７１を含む場合には、蛍光体７１に合わせた色味を有し、蛍光体７１を含まない場合には、発光素子５１の固有の色味を有する。
【０１１７】
この蛍光体７１を含む封止材７が設けられることで、発光素子５１の本来的に有する特性に応じた波長が、この蛍光体７１によって変化させられることができる。この結果、複数の隔壁３によって分割された複数の発光部５のそれぞれは、太陽光の波長帯域を分割したそれぞれの分割帯域で発光することができる。
【０１１８】
加えて、封止材７は、発光部５が備える発光素子５１の発光面での発熱を受け取って、外部に放出できる。さらには、隔壁３によって、隣接する発光部５のそれぞれが発する熱が、隣接する発光部５に届きにくい。この結果、隣接する発光部５同士の距離を狭めることができるようになる。これにより、参考技術で説明した問題を解決できる。特に、図２で説明したように、分割された分割帯域のそれぞれでの発光を行う発光部の光が分離して照射することはなくなる。結果として、単一光としての単一面発光を、照明装置１は、実現できる。
【０１１９】
このように、封止材７は、次の３つの役割を有することができる。
（役割１）ベアチップである発光素子５１を保護できる。特に、隔壁３を側面としつつ発光素子５１を封じるように投入されることで、封止材７は、発光素子５１を、確実に保護できる。
【０１２０】
（役割２）発光素子５１の固有の波長を変化させる必要がある場合には、封止材７が蛍光体７１を含むことで、発光素子５１の固有の波長を変化させて、発光部５は、光を照射できる。
【０１２１】
（役割３）封止材７が、発光素子５１の発光面での熱を、隔壁等に伝えやすくなる点で、間接的に外部に放出できる役割を行える。また、隔壁３と相まってある発光部５での熱が隣接する発光部５に伝達されにくくなる。
【０１２２】
以上の構成を有することで、実施の形態１における照明装置１は、複数に分割された複数の発光部５のそれぞれが、隣接する発光部５の熱の影響を受けにくくなり、複数の発光部５同士の距離を近接させることができる。結果として、照明装置１は、複数の発光部５によって波長を分けていながら、それぞれの発光部５からの光を重複させて単一光のようにして照射できる。
【０１２３】
また、封止材７によって、発光部５のそれぞれに実装されるベアチップである発光素子５１のそれぞれが保護できる。特に、隔壁３の間において（隔壁３の間が、複数の発光部５のそれぞれとなる）、封止材７が充填されるように設けられることで、発光素子５１が確実に保護される。
【０１２４】
さらには、封止材７が蛍光体７１を含むことで、発光素子５１の固有波長を変化させる必要がある場合（例えば、所望の波長で発行する発光素子５１が存在しないあるいは入手に不便がある場合など）には、発光素子５１の固有波長が所望の波長に変化される。この結果、複数の発光部５のそれぞれは、所望の波長において発光して、光を照射できる。
【０１２５】
これらのようにして、確実に照明装置１は、擬似的な太陽光の波長での単一光を照射できる。
【０１２６】
（構成の工程）
実装基板２は、照明装置１の電気的基板となるものであり、発光部５（発光素子５１）やこれに必要となる配線などを、実装する基板である。いわゆるプリント基板であったり、金属製の基板であったりすればよい。
【０１２７】
実装基板２には、列状となった複数の発光部５が設けられる。複数の発光部５のそれぞれは、異なる波長帯域で発光する。例えば、発光部５Ａと発光部５Ｂとは、異なる波長帯域の光を照射する。なお、発光部５を示すために囲っている破線は、発光部５を示すための便宜上のものであり、照明装置１を構成する要素を示すものではない。
【０１２８】
図５では、照明装置１は、８列の発光部５を有している。照明装置１は、この８列の発光部５全体で、ある波長帯域の光を照射する。一例として、照明装置１は、植物工場における人工太陽として用いられることが想定されているので、複数の発光部５全体で、少なくとも３６０ｎｍ〜９８０ｎｍの波長帯域を有することが好適である。
【０１２９】
複数の隔壁３は、実装基板２の表面に設けられる。このとき、複数の隔壁３のそれぞれは、複数の発光部５のそれぞれの境界に設けられる。言い換えれば、複数の発光部５のそれぞれは、複数の隔壁３のそれぞれによって、分割されて設けられることになる。
【０１３０】
複数の隔壁３によって、複数の隔壁３同士の間に、複数の実装領域４が形成される。この複数の実装領域４のそれぞれに、発光部５が設けられ、発光部５に必要となる発光素子５１であるＬＥＤなどと電子素子などが実装される。すなわち、複数の実装領域４と複数の発光部５のそれぞれとは、対応する関係となる。
【０１３１】
発光部５は、その発光部５が照射する光に対応する発光素子５１を含んでいる。特に、複数の発光部５のそれぞれは、高い輝度を生じさせることが求められるので、複数の発光素子５１を備えることが好適である。一つの発光部５が複数の発光素子５１を備えることで、発光部５による照射光の輝度が高くなる。
【０１３２】
また、発光部５においては、図５などでは１列の発光素子５１が実装されているが、１列ではなく複数列の発光素子５１が実装されていても良い。
【０１３３】
図６も含めて詳細を説明する。照明装置１は、図５で示したのと同様に、実装基板２の表面に、複数の隔壁３が設けられている。複数の隔壁３によって、複数の実装領域４が設けられる。図６では、図５に合わせて、８個の実装領域４が設けられている。複数の実装領域４のそれぞれに、複数の発光素子５１が実装されることで、複数の実装領域４の数に対応した複数の発光部５が設けられる。
【０１３４】
図６に示される矢印は、発光部５（発光素子５１）のそれぞれから照射される光を示している。これらの矢印に示されるように、複数の発光部５のそれぞれから照射される光が重複するようになる。この重複により、複数の発光部５のそれぞれから発光される光同士が積算される。
【０１３５】
このとき、上述したように、発光素子５１に接触するように、複数の実装領域４の少なくとも一部に封止材７が設けられる。図５、図６では、複数の実装領域４の全てに封止材７が設けられているが、一部のみに設けられても良い。
【０１３６】
複数の発光部５のそれぞれは、実装されている発光素子５１の固有波長を変化させることが必要なものと、発光素子５１の固有波長を変化させる必要がないものとを有している。発光素子５１の固有波長を変化させる必要がない発光部５に対応する実装領域４には、封止材７が設けられなくてもよいが、これは発光素子５１の保護の観点から決められればよい。
【０１３７】
あるいは、発光素子５１の固有波長を変化させる必要がない発光部５に対応する実装領域４には、蛍光体７１を含まないあるいは波長変化機能を有さない蛍光体７１を含む封止材７が設けられても良い。この場合でも、発光素子５１の固有波長を変化させない目的は達せられるからである。
【０１３８】
逆に、複数の発光部５の内で、発光素子５１の固有波長を変化させる必要のある実装領域４においては、波長を変化させることのできる蛍光体７１を含んだ封止材７が設けられる。
【０１３９】
（積算効果の実現）
複数の発光部５のそれぞれが備える複数の発光素子５１は、発光に際して発熱を生じさせる。発光素子５１は、実装面と発光面の両方において発熱を生じさせる。例えば、発光素子５１にＬＥＤが用いられる場合には、このように実装面および発光面の両方において熱を生じさせる。発光素子５１は、高い輝度を実現しようとすると、当然にこの発熱を大きくしてしまう。一方で、当然ながら、照明装置１は、人工太陽としての利用が想定されているので、個々の発光素子５１には高い輝度を生じさせることが求められる。
【０１４０】
従来技術では、この発熱の問題があり、複数の発光部５の隣接間距離が広がってしまっていた。しかし、実施の形態１の照明装置１は、複数の発光部５のそれぞれの間に隔壁３を設けている。この隔壁３によって、発光部５からの熱が、隣接する発光部５に影響を与えにくくなっている。この結果、隣接する発光部５同士の距離を狭めることができる。このように距離を狭めることができるので、隣接する発光部５からの光同士が重複しやすくなり積算される。
【０１４１】
また、実装基板２および隔壁３の少なくとも一部が、金属および合金などの熱伝導率が高い素材で形成される。熱伝導率の一例として、１００（Ｗ／ｍ＊Ｋ）〜４３０（Ｗ／ｍ＊Ｋ）である素材であることが好ましい。
【０１４２】
このように熱伝導性の高い素材で、実装基板２および隔壁３の少なくとも一部が形成されることで、発光素子５１の実装面で生じる発熱も排出されやすくなる。このため、更に隣接する発光部５同士の距離を更に狭くすることができる。このように、隔壁３が設けられることおよび熱伝導性の高い素材であることによって、隣接する発光部５同士の距離を狭めることができる。
【０１４３】
加えて、図５、図６に示されるように、複数の実装領域４において、発光素子５１は、ベアチップである。ベアチップであることで、発光素子５１がパッケージングされている場合に比べて、発光素子５１の発光面での発熱が、パッケージの内部に溜まりやすくなることが低減される。
【０１４４】
これに加えて、封止材７がベアチップである発光素子５１のパッケージのようにして、発光素子５１を封止する。
【０１４５】
封止材７が発光素子５１を封止することで、封止材７は、発光素子５１の発光面に生じる発熱を外部に放出できる。封止材７は、樹脂などの素材で形成されるので、発光素子５１の熱を受け取り、隔壁などへの伝道を介して外部に伝えることができうる。この外界への熱の放出により、発光素子５１の熱は、実装面だけでなく発光面においても、十分に放出できる。このとき、封止材７が、蛍光体７１を含有する場合には、この蛍光体７１の性質によって、発光素子５１の熱が外部に放出されやすくなることもある。
【０１４６】
これらの封止材７や蛍光体７１の効果も相まって、隔壁３の形成と共に、複数に並んだ発光部５同士の熱の相互影響を低減できる。結果として、複数の発光部５同士の距離を近接させることができるようになり、複数の発光部５からの光の重複および積算が行われやすくなる。
【０１４７】
複数の発光部５のそれぞれは、太陽光を模した波長帯域を適当な間隔で分割した分割帯域を有しており、この分割帯域に対応した光のそれぞれが、重複できるようになる。
【０１４８】
このように、隣接する発光部５同士の距離が狭くなることで、図６の矢印で示される複数の発光部５のそれぞれからの光が重複しやすくなる。重複すれば、積算されて、照明装置１は、複数の発光部５のそれぞれからの光を積算して、照射できる。このとき、複数の発光部５のそれぞれは、異なる波長帯域を有している。この異なる波長帯域に基づく、複数の発光部５のそれぞれからの光が重複することで、まさしく、太陽のように波長帯域を有する積算された光を、照明装置１は、照射することができる。
【０１４９】
図７は、本発明の実施の形態１における照明装置による照射光を示すイメージ図である。図５〜６で説明したような実施の形態１における照明装置１の構造によって、上述の通り、隣接する発光部５からの光が積算される。照射光１０は、このように積算された状態を示している。この積算状態によって、３６０ｎｍ〜９８０ｎｍの波長帯域（太陽の可視波長帯域に近似する）の全体に渡る波長を有しつつ、積算された一つの範囲となる照射光１０が実現される。
【０１５０】
この照射光１０は、擬似的な人工太陽としての光となる。この結果、実施の形態１における照明装置１は、植物工場で好適に用いられる人工太陽としての利用ができる。
【０１５１】
特に、複数の発光部５のそれぞれは、太陽光の可視波長帯域を複数に分割した分割帯域のそれぞれを有している。例えば、太陽光の可視波長帯域を３６０ｎｍ〜９８０ｎｍであるとすると、図５，６で示される照明装置１は、この可視波長帯域を８分割した分割帯域のそれぞれを、複数の発光部５のそれぞれが有している。もちろん、等分に分割された分割帯域である必要はなく、使用される発光素子５１の特性に応じたり、植物工場での適正に応じたりして、複数の分割帯域のそれぞれの具体的な波長が決定されれば良い。
【０１５２】
照明装置１は、複数の発光部５が、この分割されて連続する（完全連続であってもよいし、隣接する発光部５で部分的に波長が重複してもよい）分割帯域を有する上で、図７のように積算された一つの光を照射できる。いわゆる、太陽光を模擬した状態の光を照射できる。
【０１５３】
次に、各部の詳細について説明する。
【０１５４】
（実装基板）
実装基板２は、発光部５を実装する。発光部５は、発光素子５１やこれに必要な電子素子、電子配線などを含むこともあり、実装基板２は、このような発光素子５１、電子素子、電子配線などの様々な電気的要素を実装できる。また、実装基板２は、隔壁３、反射枠６などの機構的部材も、合わせて実装できる。
【０１５５】
実装基板２は、発光素子５１などに必要な電力、電気信号、制御信号を供給する配線も含んでおり、図５，６などには示されていないが、これらの電力源や制御信号などを発生させる全体的な制御部などと、接続される。また、発光部５を備える表面は、照明装置１としての照射光を発する面となる。
【０１５６】
以上のように、実装基板２は、照明装置１の主たる要素となる。
【０１５７】
実装基板２は、図５、６に示すような略円形であってもよいし、略楕円形、方形および多角形のいずれの形状を有していてもよい。また、円弧や直線部分の入り混じった不定形であってもよい。図８は、本発明の実施の形態１における照明装置の正面図である。図８に示される照明装置１においては、実装基板２は、方形である。
【０１５８】
また、実装基板２が方形である場合でも、複数の実装領域４のそれぞれにおいて、発光素子５１に接触するように設けられる。図８では、全ての実装領域４に封止材７が設けられているが、一部の実装領域４にのみ封止材７が設けられても良い。
【０１５９】
方形を有する実装基板２の場合には、複数の隔壁３のそれぞれも、この方形にあわせた形状を有する。この結果、発光部５が備える発光素子５１も方形にあわせた配置となる。
【０１６０】
実装基板２は、このように、様々な形状を有して、照明装置１のバリエーションを高めることができる。
【０１６１】
（隔壁）
隔壁３は、実装基板２の表面に設けられて、複数の実装領域４を形成する。また、この複数の実装領域４のそれぞれに発光部５が実装されるので、複数の隔壁３が、複数であって異なる分割帯域で発光する複数の発光部５を、並べることができる。
【０１６２】
複数の隔壁３のそれぞれは、実装基板２の表面において、所定方向に沿って略平行に設けられることが適当である。図８の場合でも、所定方向に沿って、複数の隔壁３が実装されている。このため、複数の隔壁３は、実装基板２において、縞状に形成される。縞状に設けられることで、それぞれの縞状となった部分が複数の実装領域４となる。この結果、実装基板２の表面が略平行に分割されて、それぞれの発光部５が分割帯域での光を照射できる。
【０１６３】
後述するが、複数の発光部５のそれぞれは、その発光レベルを個別に制御される。この制御によって、分割帯域のいずれの発光レベルが高く、いずれの発光レベルが低くできるようになる。このような分割帯域毎での発光レベルの制御の結果、照射される照射光が含む波長において、分割帯域に対応する波長ごとでの発光レベルを異ならせることができる。
【０１６４】
あるいは、複数の隔壁３は、実装基板２の表面において格子状に形成されても良い。この場合には、発光部５が実装される複数の実装領域４も格子状に形成される。格子状であることで、より細かな発光レベルの制御が可能となる。
【０１６５】
隔壁３が設けられることで、発光部５（発光素子５１）の発光面や実装面に生じる熱を、隣接する発光部５（実装領域４）に伝えにくくできる。照明装置１は、人工太陽として用いられることが想定されるので、発光素子５１には、強い電力が付与されて高い輝度で発光することが求められる。このような高い輝度で発光する場合には、発光素子５１は、高い熱を生じさせる。この熱が隣接する発光素子５１（発光部５）に伝導されると、故障などの影響が出る。影響を防止しようとすると、発光部５の隣接距離を開ける必要があり、こうなると、図２のような照射光となってしまう。
【０１６６】
隔壁３は、発光素子５１の発光面および実装面での発熱の、隣接する発光部５への伝導を低減できる。この低減によって、複数の発光部５のそれぞれは、近接して配置できる。このように近接して配置できることで、図７に示されるような集中した積算された照射光を、照明装置１は、照射できる。
【０１６７】
隔壁３は、まずこのような作用をもたらす。
【０１６８】
また、複数の隔壁３のそれぞれは、実装基板２の表面側を長辺とする略台形もしくは略三角形の断面形状を有することも好適である。図６においては、複数の隔壁３のそれぞれは、台形状を有している。台形状を有することで、実装領域４に実装される発光素子５１からの光が、隣接する発光部５からの光に積算されやすくなる。図６の矢印のように、台形の隔壁３に沿うように、ある発光部５からの光が隣接する領域に照射される。別の発光部５においても、同様の現象が生じる。
【０１６９】
このような矢印で模式される光が隣接する発光部５からの光に重なることで、複数の発光部５からの光は、相互に積算されるようになる。積算されれば、照明装置１全体で一つにまとまった光としての照射光を照射できるようになる。このように、隔壁３が台形（あるいは三角形）を有していることで、隣接する発光部５からの光が積算されやすくなる。
【０１７０】
また、隔壁３の表面の少なくとも一部が、反射性を有することも好適である。発光部５からの光は、隔壁３に衝突するものもある。このような隔壁に衝突する光は、この反射性を有する隔壁３で反射する。この反射によって、ある発光部５からの光は、更に隣接する発光部５からの光に積算される。このようにして、隣接する発光部５からの光の一部同士が重複することで、照明装置１全体として積算された照射光が照射されるようになる。
【０１７１】
隔壁３は、このように、隣接する発光部５の熱の伝導を防止するだけでなく、発光部５からの光を重複させる作用も行える。
【０１７２】
（実装領域）
実装領域４は、複数の隔壁３によって形成される、発光部５を実際に実装できる領域である。図８などに示されるように、複数の隔壁３によって、複数の実装領域４が形成される。この実装領域４のそれぞれに、形状に応じて単数又は複数の発光素子５１が実装されることで、複数の発光部５が形成される。
【０１７３】
実装領域４は、複数の隔壁３の個数によってその数が定まる。図８では、８個の実装領域４に分割されている。この８個の実装領域４のそれぞれに発光部５が実装される。複数の発光部５は、太陽光の可視波長帯域（物理的に厳密な可視波長帯域ではなく、照明装置１として必要となる波長帯域）を分割した分割帯域での光を照射する。すなわち、実装領域４の数は、分割帯域の数を決定する。
【０１７４】
このように、実装領域４が複数に設けられることで、照明装置１は、複数の分割帯域での光を照射できるようになる。この複数の分割帯域のそれぞれの発光レベルが制御されることで、植物の育成に最適な照射光を、照明装置１は、実現できる。
【０１７５】
（発光部）
発光部５は、実装領域４に実装される。発光部５は、実装領域４の数に応じた数を有しており、それぞれは、分割帯域に応じた波長での光を照射する。ここで、太陽光の可視波長帯域に合わせて、複数の発光部５は、少なくとも３６０ｎｍ〜９８０ｎｍの波長帯域を順々に分割した分割帯域を有する。
【０１７６】
発光部５は、単数又は複数の発光素子５１を備える。発光素子５１は、例えばＬＥＤが用いられる。この発光素子５１の特性により、上述の分割帯域の波長に合わせた光を、複数の発光部５のそれぞれは、照射できる。図８では、分割帯域は、３６０ｎｍ〜９８０ｎｍの帯域を８分割して得られる。
【０１７７】
ここで、複数の発光部５のそれぞれは、備える発光素子５１の波長特性のみで分割帯域に対応する波長の光を実現してもよい。あるいは、発光素子５１に離隔して設けられる封止材７によって、分割帯域に対応する波長の光を実現してもよい。
【０１７８】
図６では、発光素子５１と接触した位置に、封止材７が設けられている。この封止材７は、封止材７が蛍光体７１を含有する場合には、発光素子５１から照射される光の波長を変化させる。すなわち、色味を変える。
【０１７９】
蛍光体７１を含有する封止材７によって、発光素子５１のみでは目標とする波長が実現できない場合でも、封止材７を介して、発光部５は、目標とする波長が実現できる。この波長が、分割帯域に対応する。ここで、図６に示される８分割された複数の発光部５の全てが、封止材７によって、分割帯域に対応する波長を実現されなければならないわけではない。
【０１８０】
例えば、発光素子５１によって、必要となる分割帯域に対応する波長を実現できる場合には、封止材７による波長変換は不要である。この場合には、この波長変換が不要な発光部５に対向する封止材７は、波長変換機能を有さないものであればよい。例えば、封止材７が蛍光体７１を含有しないかもしくは波長変換機能を有さない蛍光体７１を含有していればよい。
【０１８１】
あるいは、必要となる分割帯域に対応する波長を、発光素子５１そのものによって実現できる場合には、封止材７は、実装されなくてもよい。あるいは封止材７は、上述のように蛍光体７１を含まなかったり、波長変換機能を有さない蛍光体７１のみを含んだりしている。
【０１８２】
図６では、複数の発光部５の全てに対向する全面に封止材７が設けられている。これは、製造上の容易性を優先したものである。このとき、封止材７も、複数の発光部５のそれぞれに対向する位置ごとに分割されている。この分割されているそれぞれにおいて、波長変換の必要な部分とそうではない部分とに分けて、封止材７全体が構成されればよい。
【０１８３】
このように、封止材７が設けられることで、発光素子５１だけでは分割帯域に相当する波長を実現できない発光部５の光を、目標とする波長に合わせることができる。
【０１８４】
以上のように、封止材７も用いられることで、複数の発光部５のそれぞれは、分割帯域に相当する波長での光の照射を実現できる。
【０１８５】
（反射枠）
また、図６、図８などに示されるように、実装基板２の隔壁３と同じ方向に突出する反射枠６が設けられることも好適である。反射枠６は、複数の発光部５の外周に沿って設けられることがよい。
【０１８６】
反射枠６は、反射枠６に接する発光部５からの光を反射させることで、照明装置１からの光をより集約して積算することができる。加えて、照明装置１全体としての光の積算効果を更に高めることもできる。例えば、照明装置１が人工太陽として植物工場で用いられる際に、反射枠６が、照射したい植物をより集中的に照射できるように照射光を集約させることができる。
【０１８７】
また、反射枠６は、隔壁３と同様に傾斜を有していることも好適である。このときの傾斜は、実装基板２に覆いかぶさる傾斜であれば、発光部５からの光が収束して照射されやすくなる。逆に、実装基板２を基準に外部に広がるような傾斜であれば、発光部５からの光が拡散するように照射されやすくなる。このように、反射枠６も、傾斜を有していることも好適である。このとき、反射枠６は、略台形、略三角形、カーブを有する形状、テーパー部を有する形状などで、傾斜を有するようになればよい。
【０１８８】
なお、反射枠６の表面は、反射率が高くなるように表面処理されたり、反射率の高い素材で表面処理されたりすることも好適である。このような処理がなされることで、反射枠６は、発光部５からの光を、周辺に設けられた反射枠で反射させながら、強い照射光を発することができる。
【０１８９】
（発光部からの発光レベルの制御）
図９は、本発明の実施の形態１における照明装置のブロック図である。隔壁３などの説明した要素については、符号を省略している。
【０１９０】
図９に示される照明装置１では、複数の発光部５のそれぞれでの発光レベルを、個別に制御可能な発光レベル制御部１１を備えている。発光レベル制御部１１は、複数の発光部５のそれぞれを、同時並行的にかつ個別に制御できる。このとき、発光レベル制御部１１は、発光部５が照射する照射対象物の種類、特性、照射時間帯によって、発光部５の発光レベルを制御する。
【０１９１】
すなわち、照明装置１が、植物工場の人工太陽として使用される場合に、育成対象となる植物の特性に応じて、発光部５の発光レベルを制御できる。こうすることで、例えば、図４に示されるように、時間帯によって分割帯域毎の発光レベルを異ならせることができる。
【０１９２】
図９では、実装基板２は、８つの発光部５に分割されている。もちろん、この分割数は一例に過ぎない。すなわち、発光部５Ａ〜５Ｈが、照明装置１には備わっている。
【０１９３】
発光レベル制御部１１は、発光部５Ａ〜５Ｈのそれぞれを個別に制御できる。特に、発光部５Ａ〜５Ｈのそれぞれに付与される電力（電流、電圧）を制御することで、発光レベル制御部１１は、発光部５Ａ〜５Ｈのそれぞれでの発光レベルを変化させることができる。
【０１９４】
例えば、一つの発光部５Ａに着目すれば、照射対象物の種類、特性、照射時間帯によって、その発光部５Ａの発光レベル（輝度）を、変化させることできる。あるいは、複数の発光部５Ａ〜５Ｈの全体に着目すれば、照射対象物の種類、特性、照射時間帯によって、発光部５Ａ〜５Ｈのそれぞれでの発光レベルを異ならせることもできる。前者と後者の組み合わせの結果、図４に示されるような時間帯によって、分割帯域による波長での発光レベルが異なる照射光を、照明装置１全体として、照射できる。
【０１９５】
このように、照明装置１としては、積算されて集約された一つの照射光であるが、その照射光に含まれる分割帯域での波長のそれぞれでの光の発光レベル（輝度やエネルギー）が、異なるようになる。このように異なることで、育成対象の植物への照射が適切になる。
【０１９６】
以上のように、発光レベル制御部１１は、ある時刻において、複数の発光部５Ａ〜５Ｈのそれぞれでの発光レベルに差をつけて異ならせることができる。あるいは、一つの発光部５Ａに着目すると、時間によって、その発光レベルを変化させることができる。さらには、これらを組み合わせることで、時間帯によって、複数の発光部５Ａ〜５Ｈのそれぞれでの発光レベルに差分がある状態を作り出すことができ、さらにはその差分も時間に合わせて変化させることができる。
【０１９７】
このように、照明装置１は、分割帯域のそれぞれの光を発光する発光部５からの光を重複および積算させるだけでなく、一つの光となった照射光に含まれる分割帯域のそれぞれでの発光レベルを、様々かつフレキシブルに制御できる。例えば、育成対象物の植物が、低波長をより必要とする場合には、複数の発光部５Ａ〜５Ｈにおいて低波長に対応する発光部５の発光レベルが高くされる。
【０１９８】
以上のように、実施の形態１における照明装置１は、植物工場において必要となる人工太陽に最適に利用できる。
【０１９９】
（実施の形態２）
【０２００】
次に、実施の形態２について説明する。
【０２０１】
実施の形態２においては、発光部５の熱に対してより効果的な対策を実現する照明装置１を説明する。
【０２０２】
図１０は、本発明の実施の形態２における照明装置のブロック図である。
【０２０３】
実装基板２は、複数の実装領域４に沿って冷媒を循環させる冷媒循環路１２を更に備える。冷媒循環路１２は、実装領域４に沿って設けられるので、実装領域４に実装される発光素子５１の底面において、冷媒が循環することになる。この冷媒循環によって、発光素子５１が実装面で生じさせる熱を輸送できる。
【０２０４】
ここで、冷媒循環路１２は、実装基板２内部に埋め込まれるようにして設けられても良いし、実装基板２の裏面に設けられても良い。あるいは、実装基板２内部に設けられるが、裏面から突出するような状態でも良い。あるいは、実装基板２が凸凹を有する形状である場合には、この凸凹に合わせて、冷媒循環路１２が設けられても良い。
【０２０５】
図１０は、側面図であるので分かりにくいが、冷媒循環路１２は、全体として繋がっていてもよいし、いくつかに分割されていてもよい。いずれにしても、冷媒循環路１２は、冷媒を循環させると共に連通している。
【０２０６】
この冷媒循環路１２は、実装基板２の外部に延伸し、照明装置１は、循環させた冷媒を冷却する冷却部１３を更に備える。
【０２０７】
冷媒循環路１２は、冷媒を実装領域４に沿って循環させる。この冷媒の循環によって、冷媒は、実装領域４に実装されている発光素子５１の実装面に対して発する熱を奪う。奪った熱を、冷媒によって運搬する。この運搬した先に、冷却部１３が備わっている。
【０２０８】
冷却部１３は、冷却ジャケットやヒートシンクなどの運搬された熱を外部に放出できる機構を有している。この機構によって、冷却部１３は、冷媒循環路１２で運搬された熱を、外部に放出して、熱を持った冷媒を冷やすことができる。冷却された冷媒は、再び冷媒循環路１２を循環して、実装領域４において、発光素子５１が発する熱を奪って運搬する。
【０２０９】
このように、冷媒循環路１２と冷却部１３によって、連続的に冷却された冷媒を実装領域４の底部を循環させて、発光素子５１の発熱を奪って冷却できる。
【０２１０】
この冷媒循環路１２と冷却部１３による発光素子５１の発熱の低減によって、複数の発光部５の隣接距離を更に狭めることができる。この結果、複数の発光部５からの光の積算効果が高まり、単一の光として、照明装置１が照射光を出すことができるようになる。もちろん、この単一の光は、分割された複数の分割帯域を含んでおり、それぞれの分割帯域の発光レベルは、実施の形態１で説明したように制御される。この制御によって、野菜や穀物などの植物を育成する植物工場における人工太陽として、最適に利用できる。
【０２１１】
また、実施の形態１で説明した通り、封止材７は、ベアチップである発光素子５１のパッケージのようにして、発光素子５１を封止する。
【０２１２】
このように発光素子５１に接触して封止材７が設けられることで、発光素子５１の発光面の熱も封止材７が吸収できる。発光面の熱を吸収した封止材７は、そのまま外部に放出できる。このとき、封止材７は、隔壁３に挟まれるようにして設けられるので、封止材７が吸収した熱は、隔壁３に伝導する。隔壁３は、そのまま実装基板２および冷媒循環路１２に、熱を伝導できる。
【０２１３】
冷媒循環路１２は、実装面での熱と発光面での熱を（これは封止材７を経由して）、運搬して、冷却部１３で冷却できる。このようにして、発光素子５１の実装面での熱と発光面での熱の両方を、照明装置１は、冷却できる。結果として、複数の発光部５の隣接距離は狭まることが可能であり、複数の発光部５から照射される分割帯域に応じた光は、重複して積算されるようになる。この結果、単一面に光る単一光として、照明装置１は、それぞれの分割帯域をもって、一定の範囲を有した人工太陽としての光を照射することが可能となる。
【０２１４】
図１１は、本発明の実施の形態２における発光パターンのそれぞれを示す模式図である。図１１（Ａ）〜図１１（Ｄ）のそれぞれは、８分割された分割帯域のそれぞれを有する発光部５Ａ〜５Ｈのそれぞれでの発光レベルの違いを示している。ここで、発光部５Ａ側が低波長であり、発光部５Ｈ側が高波長である。
【０２１５】
育成対象となる植物の種類によって、例えば、図１１（Ａ）〜図１１（Ｄ）のいずれかの発光パターンが選択される。あるいは、同じ種類であっても、時間帯によって、図１１（Ａ）〜図１１（Ｄ）のいずれかの発光パターンが選択される。このように、発光パターンが様々であることで、育成対象となる植物の特性に合わせた照射光を、照明装置１は、照射できる。この結果、照明装置１は、植物工場に最適な人工太陽として利用できる。
【０２１６】
（実施の形態３）
【０２１７】
次に、実施の形態３について説明する。
【０２１８】
実施の形態３においては、実際に、複数の発光部５を分割してそれぞれの分割帯域の実現の例を説明する。
【０２１９】
照明装置１の実装基板２は、照明装置１が使用される対象に応じて、適当な数に発光部５を分割すればよい。実装基板２が、８分割されたり、９分割されたり、それ以上あるいはそれ以下の数で分割されることは、使用対象の特性に応じて決定されれば良い。
【０２２０】
また、複数の発光部５のそれぞれに割り当てられる分割帯域は、複数の発光部５の数に応じて等分に分割される必要は無く、発光部５が使用する発光素子５１や封止材７の特性に応じて定められれば良い。このとき、発光素子５１や封止材７の特性のみではなく、照明装置１が使用される植物工場における育成対象の植物の特性に応じて、分割帯域のそれぞれが決定されることも好適である。後者の場合には、可能な限り、分割帯域の波長に合わせた発光素子５１や封止材７が選択される。
【０２２１】
ここで、複数の発光部５のそれぞれは、発光素子５１が物性として有する波長のみにより分割帯域の波長を実現してもよいし、発光素子５１に封止材７を組み合わせて分割帯域の波長を実現してもよい。このような構成により、照明装置１は、種々の分割帯域を備えることを実現できる。
【０２２２】
実際に発明者が作製した例を説明する。
【０２２３】
図１２は、本発明の実施の形態３における製作例を示す表である。図１２の表は、複数の発光部５のそれぞれが有する分割帯域を示している。ここで、複数の発光部５のそれぞれが有する分割帯域におけるピーク波長が示されている。
【０２２４】
ここで、図１２の表において、「蛍光体がなし」とされている部分は、封止材７が設けられていないことでもよいし、封止材７が蛍光体７１を含んでいないことでも良い。封止材７は、製造の容易上、全ての実装領域４に設けられておいて、波長変更が不要な実装領域４（発光部５）においては、蛍光体７１を含まない封止材７が用いられてもよい。あるいは、波長変更の必要ない実装領域４においては、封止材７が実装されなければよい。
【０２２５】
図１２で作製された照明装置１は、９個の発光部５を備えている。すなわち、太陽光の可視波長帯域を９分割する９個の発光部５を備えている。この９個の分割帯域のそれぞれは、低波長側から、第１波長帯、第２波長帯、第３波長帯、第４波長帯、第５波長帯、第６波長帯、第７波長帯、第８波長帯、第９波長帯を有している。
【０２２６】
（第１波長帯）
第１波長帯に対応する発光部５は、品番Ｖ４５４５ＥＤＪ０であり紫色を発光色とする発光素子５１を用いる。蛍光体７１は用いていない。この発光素子５１により、第１波長帯に対応する発光部５のピーク波長は、４０２．２３ｎｍである。また、色味としては、近紫外である。
【０２２７】
第１波長帯に対応する発光部５は、このような近紫外の色味の光を照射できる。この第１波長帯に対応する発光部５の発光レベルが制御されれば、近紫外の光の強弱をつけることができる。この強弱により、育成対象の植物の最適な育成が可能となる。
【０２２８】
（第２波長帯）
第２波長帯に対応する発光部５は、品番Ｂ６０６０ＥＣＩ０であり青色を発光色とする発光素子５１を用いる。蛍光体７１は用いていない。この発光素子５１により、第２波長帯に対応する発光部５のピーク波長は、４４９ｎｍである。また、色味としては、青−１である。青―１とは、青色であるが、波長が低いので、青色であるがやや紫側に偏差した色味である。
【０２２９】
第２波長帯に対応する発光部５は、このような青−１の色味の光を照射できる。この第２波長帯に対応する発光部５の発光レベルが制御されれば、青―１の光の強弱をつけることができる。この強弱により、育成対象の植物の最適な育成が可能となる。
【０２３０】
（第３波長帯）
第３波長帯に対応する発光部５は、品番Ｂ４５４５ＥＣＩ１  Ｐ４６Ｄであり青色を発光色とする発光素子５１を用いる。蛍光体７１は用いていない。この発光素子５１により、第３波長帯に対応する発光部５のピーク波長は、４６５．４２ｎｍである。また、色味としては、青−２である。青―２とは、青色であるが、青―１より青色にやや近くなっている青色である。
【０２３１】
第３波長帯に対応する発光部５は、このような青−２の色味の光を照射できる。この第３波長帯に対応する発光部５の発光レベルが制御されれば、青―２の光の強弱をつけることができる。この強弱により、育成対象の植物の最適な育成が可能となる。
【０２３２】
（第４波長帯）
第４波長帯に対応する発光部５は、品番Ｂ６０６０ＥＣＩ０  Ｐ４５Ｂであり青色を発光色とする発光素子５１を用いる。蛍光体７１として、ＢＧ−３０１Ｂの蛍光体が用いられる。すなわち、第４波長帯は、発光素子５１とこの蛍光体７１を含有する封止材７との組み合わせによって、第４波長帯は、青緑の色味を照射できる。ここで第４波長帯に対応する発光部５のピーク波長は、５１３．５０ｎｍである。このピーク波長により、青緑の色味を照射する。
【０２３３】
この第４波長帯に対応する発光部５の発光レベルが制御されれば、青緑の光の強弱をつけることができる。この強弱により、育成対象の植物の最適な育成が可能となる。
【０２３４】
（第５波長帯）
第５波長帯に対応する発光部５は、第４波長帯と同じ発光素子５１が用いられる。これに合わせて、品番ＧＲ−ＳａｍｐｌｅＬＷ５４８Ｄの蛍光体７１が用いられる。この発光素子５１とこの蛍光体７１を含有する封止材７の組み合わせによって、ピーク波長が５４２．２７ｎｍである緑色の色味を有する光を照射できる。
【０２３５】
この第５波長帯に対応する発光部５の発光レベルが制御されれば、緑色の光の強弱をつけることができる。この強弱により、育成対象の植物の最適な育成が可能となる。
【０２３６】
（第６波長帯）
第６波長帯に対応する発光部５は、品番ＥＳ−ＬＡＹＬＰＨ４２の発光素子５１を用いる。また、蛍光体７１を用いない。この発光素子５１によって、第６波長帯に対応する発光部５は、５９１．５２ｎｍのピーク波長を有する黄色の色味を発光する。
【０２３７】
この黄色の色味も加わることで、積算・重複されて一体の光となった照明装置１からの照射光が照射される。
【０２３８】
また、他の波長帯と同様に、この第６波長帯に対応する発光部６の発光レベルが制御されれば、黄色の光の強弱をつけることができる。この強弱により、育成対象の植物の最適な育成が可能となる。
【０２３９】
（第７波長帯）
第７波長帯に対応する発光部５は、第４波長帯と同じ発光素子５１が用いられる。これに合わせて、品番ＢＲ−１０２Ｄの蛍光体７１が用いられる。この発光素子５１とこの蛍光体７１を含有する封止材７の組み合わせによって、ピーク波長が６１４．４７ｎｍである赤−１の色味を有する光を照射できる。赤−１は赤色であるがやや黄色側に偏さした赤色である。
【０２４０】
この第７波長帯に対応する発光部５の発光レベルが制御されれば、赤―１の光の強弱をつけることができる。この強弱により、育成対象の植物の最適な育成が可能となる。
【０２４１】
（第８波長帯）
第８波長帯に対応する発光部５は、第４波長帯と同じ発光素子５１が用いられる。これに合わせて、品番ＢＲ−１０１Ｄの蛍光体７１が用いられる。この発光素子５１とこの蛍光体７１を含有する封止材７の組み合わせによって、ピーク波長が６４１．５５ｎｍである赤−２の色味を有する光を照射できる。赤−１は赤色であるがやや黄色側に偏さした赤色である。
【０２４２】
この第８波長帯に対応する発光部５の発光レベルが制御されれば、赤―２の光の強弱をつけることができる。この強弱により、育成対象の植物の最適な育成が可能となる。
【０２４３】
（第９波長帯）
第９波長帯に対応する発光部５は、品番ＥＳ−ＳＡＳＦＰＮ４２Ａの発光素子５１を用いる。また、蛍光体７１を用いない。この発光素子５１によって、第６波長帯に対応する発光部５は、８５５．５０ｎｍのピーク波長を有する近赤外の色味を発光する。
【０２４４】
この近赤外の色味も加わることで、積算・重複されて一体の光となった照明装置１からの照射光が照射される。
【０２４５】
また、他の波長帯と同様に、この第９波長帯に対応する発光部６の発光レベルが制御されれば、近赤外の光の強弱をつけることができる。この強弱により、育成対象の植物の最適な育成が可能となる。
【０２４６】
以上のように、第１波長帯〜第９波長帯のそれぞれが、発光素子５１や蛍光体７１を含有する封止材７によって実現されることで、太陽光の可視波長帯域に近似する帯域のそれぞれの帯域がコンポジットされた照射光を、照明装置１は、照射できる。このとき、それぞれの分割帯域となる第１波長帯〜第９波長帯のそれぞれの発光レベルが制御されるので、一つの光でありながら、この光が含む分割帯域毎の発光レベルが異なった状態を含んでいる。このような照射光によって、植物の最適な育成が可能となる。
【０２４７】
なお、図１２を用いて説明した分割は、一例であり、他の分割であってもよい。加えて、使用される発光素子や蛍光体も、様々に選択されれば良い。
【０２４８】
また、波長帯域を、幾つの分割帯域で分割するかも、発光部５に用いられる発光素子５１や蛍光体７１を含有する封止材７の特性に応じて、定められれば良い。図１２では、９分割の場合を説明したが、これより多い数で分割しても少ない数で分割しても問題ない。これは、使用される発光素子５１や封止材７の特性やコスト（および性能面などでの使用実現性）の製造の都合に基づいて定められても良いし、使用される植物工場で育成される植物の特性などの使用側の都合に基づいて定められても良い。分割の数、個々の分割帯域の波長の値などは、このような条件に基づいて、適宜定められれば良い。
【０２４９】
また、繰り返しになるが、封止材７が設置された上で、封止材７が波長変更機能を有さずに、発光素子５１の特性のままの波長での光を照射してもよい。このときには、封止材７は、波長の変更を行わずに、発光素子５１からの光を透過させる（蛍光体７１が含まれていない）。
【０２５０】
以上、実施の形態１〜３で説明された照明装置は、本発明の趣旨を説明する一例であり、本発明の趣旨を逸脱しない範囲での変形や改造を含む。発光部を発光素子５として説明したが、ＬＥＤと蛍光体とで構成される場合も含まれる形態も含まれる。
【符号の説明】
【０２５１】
１    照明装置
２    実装基板
３    隔壁
４    実装領域
５    発光部
５１    発光素子
６    反射枠
７    封止材
７１    蛍光体
【図１】
2015018928.tif 000003
【図２】
2015018928.tif 000004
【図３】
2015018928.tif 000005
【図４】
2015018928.tif 000006
【図５】
2015018928.tif 000007
【図６】
2015018928.tif 000008
【図７】
2015018928.tif 000009
【図８】
2015018928.tif 000010
【図９】
2015018928.tif 000011
【図１０】
2015018928.tif 000012
【図１１】
2015018928.tif 000013
【図１２】
2015018928.tif 000014